(57)【特許請求の範囲】
【請求項１】
略直方体からなり、該略直方体の辺が棒状部材から構成されたフレームと、
前記フレームを覆って該フレームに装着される断熱性カバーとからなり、
前記断熱性カバーは、天面、側面及び底面からなり、前記側面の少なくとも１つの側面を、開閉可能な開閉構造とし、当該側面が前記開閉構造によって開かれることで、前記フレームに着脱自在とされる保冷ケースであって、
前記開閉構造は、
前記天面から垂れ下がる第１のフラップ部と、
前記底面から立ち上がる第２のフラップ部と、
当該開閉構造とされた側面の互いに対向する対向辺からそれぞれ延び、当該側面が前記開閉構造によって閉じられた場合に少なくとも前記対向辺とは反対側の辺が互いに当接する幅を具備する２つの扉部からなる観音開き構造とから構成され、
前記２つの扉部の一方と、前記第１及び前記第２のフラップ部とがそれぞれその重なり合う部分にて接合及び離脱が可能な接合構造を有する保冷ケース。
【発明の詳細な説明】
【技術分野】
【０００１】
本発明は、被保冷物を保冷するための保冷ケースに関する。
【背景技術】
【０００２】
従来、定温での保管が好ましい食料品等においては、工場内での運搬時や、店舗への配送時に、断熱性を有する保冷カバーで覆われたり、保冷ケースに収容されたりして保冷されながら運搬することが行われている。
【０００３】
例えば、特許文献１には、可撓性を有するシート部と、ある程度の厚さを有する断熱板部とが重ね合わされてなる矩形状板材から構成された保冷ケースが開示されている。この保冷ケースは、シート部が可撓性を有するものの、断熱板部がある程度の厚さを有することにより、食料品等の被保冷物を収容していない状態でも、何らかの支えを必要とすることなく自立することができる。
【０００４】
また、特許文献２には、運搬用台車に取り付け可能に構成された保冷カバーが開示されている。この保冷カバーは、運搬用台車に取り付けられた状態で、収容した被保冷物の運搬、配送に用いられ、また、運搬用台車に取り付けられた状態で折り畳んで保管することができる。そのため、運搬用台車に取り付けられた状態で自立可能となっている。
【０００５】
上記のような保冷ケースや保冷カバーを用いることにより、定温での保管が好ましい食料品等の被保冷物を、保冷しながら運搬や配送のみならず保管することができ、さらには、被保冷物が収容された状態でも収容されていない状態でも、自立させて置いておくことができる。
【先行技術文献】
【特許文献】
【０００６】
【特許文献１】特開２００４−１８９２４２号公報
【特許文献２】実用新案登録第３１６５２６４号公報
【発明の概要】
【発明が解決しようとする課題】
【０００７】
しかしながら、特許文献１に開示されたものにおいては、シート部に重ね合わされた断熱板部がある程度の厚さを有することで自立可能であるため、重量が重くなる可能性が高く、また、折り畳んで保管する際に嵩張ってしまうという問題点がある。
【０００８】
また、特許文献２に開示されたものにおいては、台車として用いられる際は運搬用台車に取り付けられていることにより自立させておくことができるものの、台車としてではなく、単なる保冷ケースとして用いられる際は運搬用台車から取り外されることになるため、自立させておくことができないという問題点がある。例えば、トラックの荷台等に積載する場合は保冷カバーが運搬用台車から取り外されることになるが、運搬用台車に取り付けられることによって自立可能となるため、トラックの荷台等に積載された状態においては、自立することができなくなってしまう。また、運搬用台車には、面ファスナーが設けられた取付部によって取り付けられるため、トラックの荷台等に積載する場合は、この取付部の面ファスナーを剥離する作業が生じ、作業が煩雑になってしまうという問題点がある。
【０００９】
本発明は、上述したような従来の技術が有する問題点に鑑みてなされたものであって、利用時は自立可能であるとともに、利用しない時は嵩張らずに保管することができる保冷ケースを提供することを目的とする。
【課題を解決するための手段】
【００１０】
上記目的を達成するために本発明は、
略直方体からなり、該略直方体の辺が棒状部材から構成されたフレームと、
前記フレームを覆って該フレームに装着される断熱性カバーとからなり、
前記断熱性カバーは、天面、側面及び底面からなり、前記側面の少なくとも１つの側面を、開閉可能な開閉構造とし、当該側面が前記開閉構造によって開かれることで、前記フレームに着脱自在とされる。
【００１１】
上記のように構成された本発明においては、利用時は、断熱性カバーの少なくとも１つの側面が開閉構造によって開かれ、その側面からフレームが断熱性カバーに挿入されていくことで、フレームに断熱性カバーが装着される。断熱性カバーがフレームに装着された状態においては、フレームが略直方体であることから、断熱性カバーが略直方体の形状に維持されて自立可能なものとなる。また、利用しない時は、断熱性カバーの少なくとも１つの側面が開閉構造によって開かれ、その側面からフレームが取り出され、断熱性カバーがフレームに装着されていない状態となる。この状態においては、断熱性カバーはフレームに装着されていないことから、フレームの略直方体の形状に固定されることなく、例えば、折り畳んで保管することができる。
【００１２】
また、前記開閉構造が、
前記天面から垂れ下がる第１のフラップ部と、
前記底面から立ち上がる第２のフラップ部と、
当該開閉構造とされた側面の互いに対向する対向辺からそれぞれ延び、当該側面が前記開閉構造によって閉じられた場合に少なくとも前記対向辺とは反対側の辺が互いに当接する幅を具備する２つの扉部からなる観音開き構造とから構成され、
前記２つの扉部の一方と、前記第１及び前記第２のフラップ部とがそれぞれその重なり合う部分にて接合及び離脱が可能な接合構造を有する。
【００１３】
このような構成とすることで、観音開きを構成する２つの扉部の一方が、第１及び第２のフラップ部との重なり合う部分にてそれぞれ接合構造によって接合されることにより、収容された被保冷物を取り出したり被保冷物を収容したりするために２つの扉部の他方を開け閉めする際、開け閉めしない扉部側において、開閉構造とされた側面に隣接する側面と、開け閉めしない扉部と、第１のフラップ部と、天面とによってフレームの上端側が固定されるとともに、開閉構造とされた側面に隣接する側面と、開け閉めしない扉部と、第２のフラップ部と、底面とによってフレームの下端側が固定されることとなり、扉部を開け閉めする際にフレームがぐらつくことが抑制される。また、接合構造は、２つの扉部の一方と第１及び第２のフラップ部との離脱が可能であることから、これらを離脱させることで、断熱性カバーの側面が開閉構造によって開かれ、断熱性カバーのフレームへの着脱が可能となる。
【００１４】
また、前記第２のフラップ部の前記底面との連接辺に直交する辺と、当該第２のフラップ部を有する側面に隣接する側面の辺とが、接合及び離脱が可能な第２の接合構造を有する構成とすることも考えられる。
【００１５】
そのような構成とした場合は、利用時に、第２のフラップ部の底面との連接辺に直交する辺と、第２のフラップ部を有する側面に隣接する側面の辺とが第２の接合構造によって接合されることで、開閉構造とされた側面に隣接する側面と、第２のフラップ部と、底面とによってもフレームの下端側が固定されることとなり、フレームのぐらつきがさらに抑制されるとともに、断熱性カバーからのフレームの離脱が防止される。また、第２の接合構造は、第２のフラップ部の底面との連接辺に直交する辺と、第２のフラップ部を有する側面に隣接する側面の辺との離脱が可能であることから、これらを離脱させることで、断熱性カバーの側面が開閉構造によって開かれ、断熱性カバーのフレームへの着脱が可能となる。また、一般的に冷気は下方に移動するため、保冷ケース内の冷気が開閉構造とされた側面の下方から外部に流出しやすくなるが、第２のフラップ部が第２の接合構造によって側面と接合されることで立ち上がった状態で固定されるので、下方に移動した冷気が外部に流出してしまうことが回避される。
【００１６】
また、前記２つの扉部は、前記開閉構造とされた側面が当該開閉構造によって閉じられた場合に前記対向辺とは反対側の辺側にてその一部が重なり合う幅を具備する構成とすることも考えられる。
【００１７】
そのような構成とした場合は、２つの扉部の重なり合う部分を接合及び離脱可能な構造とすることで、保冷ケース内における保冷効果を向上させながらも、断熱性カバーにフレームを着脱可能にすることができる。
【００１８】
また、前記フレームが、前記略直方体の辺ごとに分離可能であり、
前記断熱性カバーが、折り畳み可能な材料から構成されることも考えられる。
【００１９】
そのような構成とした場合は、利用しない時には、フレームは辺ごとに分離することでコンパクトに保管することができるとともに、断熱性カバーは折り畳んで保管することができる。
【００２０】
また、前記断熱性カバーは、前記フレームに装着された際に内側となる面に、保冷剤を収納可能な保冷剤収納部が設けられている構成とすることも考えられる。
【００２１】
そのような構成とした場合は、保冷剤収納部に保冷剤を収納することで、収容された被保冷物を所望の温度に保冷することができる。
【発明の効果】
【００２２】
本発明においては、略直方体からなるフレームに装着される断熱性カバーが、天面、側面及び底面からなり、側面の少なくとも１つの側面を、開閉可能な開閉構造とし、その側面が開閉構造によって開かれることで、フレームに着脱自在とされる構成としたため、利用時は、断熱性カバーがフレームに装着されることによって自立可能となるとともに、利用しない時は、断熱性カバーがフレームに装着されていない状態とすることで、断熱性カバーを折り畳む等して嵩張らずに保管することができる。
【００２３】
また、開閉構造が、天面から垂れ下がる第１のフラップ部と、底面から立ち上がる第２のフラップ部と、開閉構造とされた側面の互いに対向する対向辺からそれぞれ延び、少なくとも対向辺とは反対側の辺が互いに当接する幅を具備する２つの扉部からなる観音開き構造とから構成され、２つの扉部の一方と、第１及び前記第２のフラップ部とがそれぞれその重なり合う部分にて接合及び離脱が可能な接合構造を有することにより、開け閉めしない扉部側において、開閉構造とされた側面に隣接する側面と、開け閉めしない扉部と、第１のフラップ部と、天面とによってフレームの上端側が固定されるとともに、開閉構造とされた側面に隣接する側面と、開け閉めしない扉部と、第２のフラップ部と、底面とによってフレームの下端側が固定されることとなり、扉部を開け閉めする際にフレームがぐらつくことを抑制することができる。
【図面の簡単な説明】
【００２４】
【図１】本発明の保冷ケースの実施の一形態を示す外観斜視図であり、（ａ）は開閉構造とされた側面を閉じた状態を示す図、（ｂ）は開閉構造とされた側面を完全に開いた状態を示す図、（ｃ）は開閉構造とされた側面のうち２つの扉部のみを開いた状態を示す図、（ｄ）は開閉構造とされた側面のうち１つの扉部のみを開いた状態を示す図である。
【図２】図１に示した保冷ケースに用いられるフレームの詳細な構成を示す外観斜視図である。
【図３】図１に示した保冷ケースについて断熱性カバーを図２に示したフレームに装着していく方法を説明するための外観斜視図である。
【図４】図１に示した保冷ケースにおけるフラップ部による作用を説明するための図である。
【図５】図１に示した保冷ケースにおける扉部による作用を説明するための図であり、（ａ）は外観斜視図、（ｂ）は（ａ）に示した矢印Ａ方向から見た保冷ケースの角部の状態を示す図、（ｃ）は（ａ）に示した矢印Ｂ方向から見た保冷ケースの角部の状態を示す図である。
【発明を実施するための形態】
【００２５】
以下に、本発明の実施の形態について図面を参照して説明する。
【００２６】
図１は、本発明の保冷ケースの実施の一形態を示す外観斜視図であり、（ａ）は開閉構造とされた側面１３ａを閉じた状態を示す図、（ｂ）は開閉構造とされた側面１３ａを完全に開いた状態を示す図、（ｃ）は開閉構造とされた側面１３ａのうち２つの扉部２１，２２のみを開いた状態を示す図、（ｄ）は開閉構造とされた側面１３ａのうち１つの扉部２２のみを開いた状態を示す図である。図２は、図１に示した保冷ケースに用いられるフレーム６０の詳細な構成を示す外観斜視図である。
【００２７】
本形態における保冷ケースは図１に示すように、フレーム６０に断熱性カバー１０が装着されて構成されている。
【００２８】
フレーム６０は図２に示すように、棒状部材である１２本の直線状のポール６１ａ〜６１ｌが８つの三ツ口コネクタ６２ａ〜６２ｈによって連結され、ポール６１ａ〜６１ｌがそれぞれ辺となった直方体を構成している。そのため、三ツ口コネクタ６２ａ〜６２ｈを介してポール６１ａ〜６１ｌごとに分離可能となっている。
【００２９】
断熱性カバー１０は、例えば、ＰＥ（ポリエチレン）断熱シートの表裏がポリエチレンクロスシートとアルミ蒸着シートとによって挟み込まれて構成されており、それにより、折り畳み可能なものとなっている。そして、断熱性カバー１０は、フレーム６０に装着された場合に、天面１１、底面１２及び４つの側面１３ａ〜１３ｄからなる。すなわち、断熱性カバー１０は、フレーム６０の形状に合わせて、フレーム６０に装着された場合に、天面１１、底面１２及び４つの側面１３ａ〜１３ｄを構成する大きさ及び形状となっている。具体的には、天面１１及び底面１２それぞれの４つの辺の長さは、フレーム６０のポール６１ａ〜６１ｄ，６１ｉ〜６１ｌの長さと同等となっており、また、側面１３ａ〜１３ｄについては、側面１３ａの４つの辺の長さがそれぞれ、フレーム６０のポール６１ａ，６１ｅ，６１ｆ，６１ｉの長さと同等となっており、側面１３ｂの４つの辺の長さがそれぞれ、フレーム６０のポール６１ｂ，６１ｆ，６１ｇ，６１ｊの長さと同等となっており、側面１３ｃの４つの辺の長さがそれぞれ、フレーム６０のポール６１ｄ，６１ｅ，６１ｈ，６１ｌの長さと同等となっており、側面１３ｄの４つの辺の長さがそれぞれ、フレーム６０のポール６１ｃ，６１ｇ，６１ｈ，６１ｋの長さと同等となっている。それにより、断熱性カバー１０は、フレーム６０に装着された場合に、フレーム６０によって、天面１１、底面１２及び４つの側面１３ａ〜１３ｄが張設されるものとなっている。
【００３０】
４つの側面１３ａ〜１３ｄのうち、１つの側面１３ａは、２つの扉部２１，２２と、２つのフラップ部２３，２４とから構成され、これらによって開閉可能な開閉構造となっている。そして、この開閉構造によって側面１３ａが開かれることで、断熱性シート１０がフレーム６０に着脱自在となっている。
【００３１】
フラップ部２３は、天面１１との連接辺を軸として回動自在に天面１１から一定の幅を有して垂れ下がっており、断熱性カバー１０がフレーム６０に装着された場合に外側となる面に、天面１１との連接辺に沿って面ファスナー３６が取り付けられているとともに、断熱性カバー１０がフレーム６０に装着された場合に内側となる面にも、天面１１との連接辺に沿って面ファスナー３９が取り付けられている。フラップ部２４は、底面１２との連接辺を軸として回動自在に底面１２から一定の幅を有して立ち上がっており、断熱性カバー１０がフレーム６０に装着された場合に外側となる面に、底面１２との連接辺に沿って面ファスナー３７が取り付けられているとともに、底面１２との連接辺に直交する辺にジッパー５３，５４が取り付けられている。
【００３２】
２つの扉部２１，２２は、側面１３ａの側面１３ｂ，１３ｃとの連接辺、すなわち互いに対向する対向辺からそれぞれ一定の幅を有して延び、側面１３ｂ，１３ｃとの連接辺を軸として回動自在に構成されており、それにより、扉部２１，２２から観音開き構造を構成している。扉部２１，２２の幅は、扉部２１の方が狭くなっており、扉部２１，２２を閉じた状態にて側面１３ｂ，１３ｃとの連接辺とは反対側の辺側にてその一部が重なり合う幅を有している。
【００３３】
扉部２１は、断熱性カバー１０がフレーム６０に装着された場合に内側となる面に、側面１３ｃとの連接辺に直交する辺に沿って面ファスナー３１，３２が取り付けられているとともに、断熱性カバー１０がフレーム６０に装着された場合に外側となる面には、側面１３ｃとの連接辺とは反対側の端部となる辺に沿って面ファスナー３８が取り付けられている。なお、面ファスナー３１，３２のそれぞれは、フラップ部２３が天面１１から垂れ下がり、フラップ部２４が底面１２から立ち上がった状態にて扉部２１が閉じられた場合に扉部２１のうちフラップ部２３，２４と重なり合い、面ファスナー３６，３７と対向する部分に取り付けられている。扉部２２は、断熱性カバー１０がフレーム６０に装着された場合に内側となる面において、側面１３ｂとの連接辺に直交する辺に沿って面ファスナー３３，３４が取り付けられているとともに、側面１３ｂとの連接辺とは反対側の辺に沿って面ファスナー３５が取り付けられている。なお、面ファスナー３３，３４のそれぞれは、フラップ部２３が天面１１から垂れ下がり、フラップ部２４が底面１２から立ち上がった状態にて扉部２２が閉じられた場合に扉部２２のうちフラップ部２３，２４と重なり合い、面ファスナー３６，３７と対向する部分に取り付けられている。また、面ファスナー３５は、扉部２１が閉じられた状態にて扉部２２が閉じられた場合に扉部２２のうち扉部２１と重なり合い、面ファスナー３８と対向する部分に取り付けられている。また、扉部２２は、断熱性カバー１０がフレーム６０に装着された場合に外側となる面において、側面１３ｂとの連接辺とは反対側の辺に沿う領域に、例えばポリプロピレンからなる取っ手ベルト４１が取り付けられている。
【００３４】
側面１３ｂ，１３ｃのそれぞれには、側面１３ａとの連接辺のうち、フラップ部２４が底面１２から立ち上がった状態においてジッパー５３，５４にそれぞれ当接する領域にジッパー５１，５２が取り付けられている。
【００３５】
側面１３ｂ〜１３ｄには、断熱性カバー１０がフレーム６０に装着された場合に内側となる面に、保冷剤を収納可能な保冷剤収納部となる複数の収納ポケット４０が取り付けられている。この収納ポケット４０は、例えば可撓性を有するポリエステルのシートからなり、側面１３ｂ，１３ｃに３個、側面１３ｄに４個、それぞれ縫着によって取り付けられている。
【００３６】
上記のように構成された保冷ケースにおいては、面ファスナー３１，３２と面ファスナー３６，３７とによって本発明の接合構造が構成され、ジッパー５１，５２とジッパー５３，５４とによって本発明の第２の接合構造が構成されている。そして、フラップ部２３が天面１１から垂れ下げた状態とされるとともに、フラップ部２４が底面１２から立ち上げられた状態でジッパー５１，５２とジッパー５３，５４とが噛み合わされることでフラップ部２４の底面１２との連接辺に直交する辺と側面１３ａに隣接する側面１３ｂ，１３ｃの辺とが接合されて固定された後、扉部２１が閉じられ、面ファスナー３１と面ファスナー３６とが接合されるとともに、面ファスナー３２と面ファスナー３７とが接合され、さらに、扉部２２が閉じられ、面ファスナー３３と面ファスナー３６とが接合されるとともに、面ファスナー３４と面ファスナー３７とが接合され、最後に面ファスナー３５と面ファスナー３８とが接合され、図１（ａ）に示すように側面１３ａが閉じられた形態となる。
【００３７】
なお、本形態においては、扉部２１，２２が、扉部２１，２２を閉じた状態にて側面１３ｂ，１３ｃとの連接辺とは反対側の辺側にてその一部が重なり合う幅を有しており、それにより、扉部２１，２２を閉じると、扉部２１に取り付けられた面ファスナー３８と扉部２２に取り付けられた面ファスナー３５とが対向して接合する構成を例に挙げて説明したが、扉部２１，２２は、扉部２１，２２を閉じた状態にて側面１３ｂ，１３ｃとの連接辺とは反対側の辺が互いに当接する幅を具備していればよい。ただし、本形態のような構成とすることにより、保冷ケース内の保冷効果を向上させながらも、断熱性カバー１０にフレーム６０を着脱可能にすることができる。
【００３８】
以下に、上記のように構成された保冷ケースの使用方法について説明する。
【００３９】
まず、断熱性カバー１０をフレーム６０に装着していく方法について説明する。
【００４０】
図３は、図１に示した保冷ケースについて断熱性カバー１０を図２に示したフレーム６０に装着していく方法を説明するための外観斜視図である。
【００４１】
図１に示した保冷ケースについて断熱性カバー１０を図２に示したフレーム６０に装着していく場合は、図３（ａ）に示すように、まず、断熱性カバー１０の扉部２１，２２及びフラップ部２３，２４が全て開かれた状態とする。それにより、断熱性カバー１０の側面１３ａが、扉部２１，２２及びフラップ部２３，２４による開閉構造によって開かれた状態となる。
【００４２】
そして、開かれた側面１３ａからフレーム６０を断熱性カバー１０に挿入していく。その際、断熱性カバー１０の側面１３ｂ〜１３ｄには、断熱性カバー１０がフレーム６０に装着された場合に内側となる面に、保冷剤を収納可能な複数の収納ポケット４０が取り付けられているが、この収納ポケット４０は、可撓性を有するものであるため、フレーム６０に当接しても、フレーム６０が断熱性カバー１０に挿入できなくなってしまうことがない。
【００４３】
断熱性カバー１０は、折り畳み可能な材料から構成されているため、フレーム６０に装着される前は、単独では自立することができない。ところが、開かれた側面１３ａからフレーム６０が挿入されていくと、断熱性カバー１０が、上述したように、フレーム６０に装着された場合に、天面１１、底面１２及び４つの側面１３ａ〜１３ｄを構成する大きさ及び形状となっていることにより、天面１１と底面１２と側面１３ａ〜１３ｄとのそれぞれの連接辺にその内側からフレーム６０のポール６１ａ〜６１ｌが当接していく。そして、フレーム６０が断熱性カバー１０に完全に挿入されると、図３（ｂ）に示すように、天面１１、底面１２及び側面１３ａ〜１３ｄがフレーム６０によって張設された状態となり、断熱性カバー１０がフレーム６０の直方体の形状となる。その後、被保冷物を保冷ケースに収容する前あるいは後に、収納ポケット４０に、所望の温度に保冷した保冷剤を収納することにより、被保冷物を所望の温度に保冷することができる。
【００４４】
このようにして断熱性カバー１０がフレーム６０に装着されると、フレーム６０全体が断熱性カバー１０によって覆われた状態となり、断熱性カバー１０がフレーム６０の直方体の形状に維持されて自立可能な状態となる。
【００４５】
また、フレーム６０については、上述したように、１２本の直線状のポール６１ａ〜６１ｌが８つの三ツ口コネクタ６２ａ〜６２ｈによって連結され、三ツ口コネクタ６２ａ〜６２ｈを介してポール６１ａ〜６１ｌごとに分離可能となっているが、断熱性カバー１０がフレーム６０に装着されると、フレーム６０が、断熱性カバー１０の天面１１、底面１２及び側面１３ａ〜１３ｄを張設した状態としてその全体が断熱性カバー１０で覆われた状態となるため、ポール６１ａ〜６１ｌごとに分離されにくくなる。また、上述したように断熱性カバー１０がフレーム６０に装着された状態において収納ポケット４０に保冷剤が収納された場合、フレーム６０の上下方向については、保冷剤の重みによってもポール６１ａ〜６１ｌごとに分離されにくくなる。なお、水平方向については、断熱性カバー１０の４つの側面１３ａ〜１３ｄが連接していることにより、フレーム６０がポール６１ａ〜６１ｌごとに分離されにくくなっている。
【００４６】
次に、フラップ部２３，２４による作用効果について説明する。
【００４７】
図４は、図１に示した保冷ケースにおけるフラップ部２３，２４による作用を説明するための図である。
【００４８】
上記のようにして断熱性カバー１０がフレーム６０に装着された後、図４（ａ）に示すように、フラップ部２３を天面１１から垂れ下げた状態とするとともに、フラップ部２４を底面１２から立ち上げた状態とする。
【００４９】
その際、図４（ｂ）に示すように、フラップ部２３の内側の面に取り付けられた面ファスナー３９を用いてスリット入りのカーテン７０を取り付けることにより、保冷ケース内に収容された被保冷物を取り出したり、保冷ケース内に被保冷物を収容したりするために扉部２１，２２の少なくとも一方を開けた際に、保冷ケース内の冷気が外部に流出してしまうことが抑制される。なお、カーテン７０を透明な材料から構成することにより、保冷ケース内に収容された被保冷物がカーテン７０によって見えなくなってしまうことを回避することができる。カーテン７０は、例えば、ポリ塩化ビニル等からなるものを用いることができる。
【００５０】
また、図４（ｃ）に示すように、フラップ部２４に取り付けられたジッパー５４と側面１３ｃに取り付けられたジッパー５２とを噛み合わせるとともに、これと同様に、フラップ部２４に取り付けられたジッパー５３と側面１３ｂに取り付けられたジッパー５１とを噛み合わせ、それにより、フラップ部２４の底面１２との連接辺に直交する辺と、側面１３ｂ，１３ｃの辺とを接合させる。
【００５１】
このようにしてフラップ部２４の底面１２との連接辺に直交する辺と、側面１３ｂ，１３ｃの辺とを接合させることにより、フラップ部２４が立ち上がった状態で固定されることになる。ここで、一般的に冷気は下方に移動するため、保冷ケース内の冷気が開閉構造とされた側面１３ａの下方から外部に流出しやすくなるが、フラップ部２４が側面１３ｂ，１３ｃと接合されることで立ち上がった状態で固定されるので、下方に移動した冷気が外部に流出してしまうことが回避される。
【００５２】
次に、扉部２１の作用効果について説明する。
【００５３】
図５は、図１に示した保冷ケースにおける扉部２１による作用を説明するための図であり、（ａ）は外観斜視図、（ｂ）は（ａ）に示した矢印Ａ方向から見た保冷ケースの角部の状態を示す図、（ｃ）は（ａ）に示した矢印Ｂ方向から見た保冷ケースの角部の状態を示す図である。
【００５４】
上記のようにして断熱性カバー１０がフレーム６０に装着され、フラップ部２３が天面１１から垂れ下げられた状態とされるとともに、フラップ部２４が底面１２から立ち上げられた状態で固定された後、図５（ａ）に示すように、扉部２１を閉め、扉部２１に取り付けられた面ファスナー３１とフラップ部２３に取り付けられた面ファスナー３６とを接合させるとともに、扉部２１に取り付けられた面ファスナー３２とフラップ部２４に取り付けられた面ファスナー３７とを接合させる。
【００５５】
すると、扉部２１側においては、図５（ｂ）に示すように、フレーム６０の上端側の角部が、側面１３ｃと天面１１とフラップ部２３と扉部２１とによって固定され、また、図５（ｃ）に示すように、フレーム６０の下端側の角部が、側面１３ｃと底面１２とフラップ部２４と扉部２１とによって固定されることになる。
【００５６】
このようにしてフレーム６０に断熱性カバー１０が装着された保冷ケースに被保冷物が収容されることになるが、保冷ケースに被保冷物を収容したり、保冷ケース内に収容された被保冷物を取り出したりするために、扉部２２のみを開け閉めする場合、上述したように、開け閉めしない扉部２１側においては、フレーム６０の上端側が、側面１３ｃと天面１１とフラップ部２３と扉部２１とによって固定されるとともに、フレーム６０の下端側が、側面１３ｃと底面１２とフラップ部２４と扉部２１とによって固定されているため、扉部２２を開け閉めする際にフレーム６０がぐらつくことが抑制される。なお、上述したように、断熱性カバー１０がフレーム６０に装着された状態では、フレーム６０が、断熱性カバー１０の天面１１、底面１２及び側面１３ａ〜１３ｄを張設した状態としてその全体が断熱性カバー１０で覆われた状態となることによってポール６１ａ〜６１ｌごとに分離されにくくなっており、それによりフレーム６０のぐらつきと分離の抑制を実現できる。扉部２２を開け閉めする際は、取っ手ベルト４１を掴むことで、扉部２２を開け閉めしやすくなる。また、保冷ケースに被保冷物を収容したり、保冷ケース内に収容された被保冷物を取り出したりするために、扉部２１のみを開け閉めする場合においても、開け閉めしない扉部２２側においては、フレーム６０の上端側が、側面１３ｂと、天面１１と、面ファスナー３３，３６によって互いに接合されたフラップ部２３及び扉部２２とによって固定されるとともに、フレーム６０の下端側が、側面１３ｂと、底面１２と、面ファスナー３４，３７によって互いに接合されたフラップ部２４と扉部２２とによって固定されているため、扉部２１を開け閉めする際にフレーム６０がぐらつくことが抑制される。なお、保冷ケースに被保冷物を収容したり、保冷ケース内に収容された被保冷物を取り出したりするために、扉部２２のみを開け閉めし、扉部２１は開け閉めしない場合は、扉部２１と扉部２２とが、面ファスナー３５，３８によって接合可能であれば、扉部２２とフラップ部２３，２４とを接合可能とする必要はないため、扉部２２に面ファスナー３３，３４を取り付ける必要がなく、また、面ファスナー３６，３７についても、扉部２１に対向しない部分には取り付けておく必要がない。ただし、扉部２２のみを開け閉めし、扉部２１は開け閉めしない場合でも、扉部２２とフラップ部２３，２４とを接合可能としておくことにより、扉部２２を閉めた状態では保冷ケースが密閉された状態となり、保冷ケースの冷気が外部に流出してしまうことの抑制効果が高まる。
【００５７】
また、上述したように、フラップ部２４の底面１２との連接辺に直交する辺と、側面１３ｂ，１３ｃの辺とが接合していることにより、側面１３ｂ，１３ｃと底面１２とフラップ部２４とによっても、側面１３ａ側においてフレーム６０の下端側の角部が固定されることとなり、フレーム６０のぐらつきがさらに抑制されるとともに、フレーム６０の離脱が防止される。
【００５８】
また、上述したように、断熱性カバー１０がフレーム６０に装着された状態では、天面１１、底面１２及び側面１３ａ〜１３ｄがフレーム６０によって張設された状態となり、断熱性カバー１０がフレーム６０の直方体の形状に維持されるため、この状態のままトラックの荷台等に積載することができる。
【００５９】
上述したようにして利用された保冷ケースを保管する場合は、まず、扉部２２が閉じられている場合は、面ファスナー３５と面ファスナー３８とを剥離することにより、扉部２１と扉部２２とを離脱させるとともに、面ファスナー３３，３４と面ファスナー３６，３７とをそれぞれ剥離することにより、図１（ｄ）に示したように、扉部２２とフラップ部２３，２４とをそれぞれ離脱させ、扉部２２を開く。
【００６０】
次に、面ファスナー３１，３２と面ファスナー３６，３７とをそれぞれ剥離することにより、図１（ｃ）に示したように、扉部２１とフラップ部２３，２４とをそれぞれ離脱させ、扉部２１を開く。
【００６１】
次に、ジッパー５１，５２とジッパー５３，５４との噛み合わせを外すことによってフラップ部２４の底面１２との連接辺に直交する辺と、側面１３ｂ，１３ｃの辺とを離脱させるとともに、フラップ部２３を捲り上げ、図１（ｂ）に示したように、側面１３ａが完全に開いた状態とする。
【００６２】
このようにして、側面１３ａが完全に開いたことで、フレーム６０を側面１３ａから取り出して、断熱性カバー１０をフレーム６０から離脱させることができる。
【００６３】
フレーム６０から離脱した断熱性カバー１０は、天面１１、底面１２及び側面１３ａ〜１３ｄがフレーム６０によって張設された状態ではなくなるため、フレーム６０の直方体の形状に固定されることなく、断熱性カバー１０が折り畳み可能な材料から構成されることにより、折り畳んで保管することができる。
【００６４】
また、フレーム６０については、上述したように三ツ口コネクタ６２ａ〜６２ｈを介してポール６１ａ〜６１ｌごとに分離可能となっているため、ポール６１ａ〜６１ｌごとに分離すれば、コンパクトに保管することができる。
【００６５】
なお、本形態においては、フレーム６０として直方体のものを例に挙げて説明したが、組み立てられた状態で断熱性カバー１０が装着可能なものであれば、例えば、断熱性カバー１０が装着され始める側の面の面積が小さく、断熱性カバー１０が装着されていく方向にその断面積が徐々に大きくなる形状や、断熱性カバー１０が装着されていく方向には断面積は変化しないものの、その断面の形状が長方形や正方形に限らず台形のもの等、その形状が直方体から若干変形したものであってもよい。これらを含めて本願発明では略直方体と呼ぶ。また、直方体に立方体が含まれることは言うまでもない。
【００６６】
また、本形態においては、断熱性カバー１０の４つの側面１３ａ〜１３ｄのうち１つの側面１３ａが開閉構造とされるものを例に挙げて説明したが、側面１３ａのみならず、側面１３ａに対向する側面１３ｄも側面１３ａと同様の構成の開閉構造とすることが考えられる。また、開閉構造が、側面１３ａのように観音開きを構成する２つの扉部２１，２２と２つのフラップ部２３，２４とから構成されるものではなく、ただ単にその側面を開閉可能とするものであれば、隣接する２つの側面を開閉構造としてもよい。
【符号の説明】
【００６７】
１０    断熱性カバー
１１    天面
１２    底面
１３ａ〜１３ｄ    側面
２１，２２    扉部
２３，２４    フラップ部
３１〜３９    面ファスナー
４０    収納ポケット
４１    取っ手ベルト
５１〜５４    ジッパー
６０    フレーム
６１ａ〜６１ｌ    ポール
６２ａ〜６２ｈ    コネクタ
７０    カーテン
【図１】
0006457781.tif 000002
【図２】
0006457781.tif 000003
【図３】
0006457781.tif 000004
【図４】
0006457781.tif 000005
【図５】
0006457781.tif 000006